(57)【特許請求の範囲】
【請求項１】
鼻隠し（８）の前面部（８１）と下面部（８２）を覆って軒先に固定される鼻隠し化粧板（１）において、
鼻隠し（８）の前面部（８１）に接合する被覆面部（２１）の下端に軒先後方への折り返し部（２４）を設け、被覆面部（２１）の裏側に鼻隠し（８）の下面前端部（８３）に係合する突部（２６）を設けてなる上部化粧板（２）と、
鼻隠し（８）の下面部（８２）を覆う底面部（３１）と、底面部（３１）の前端から上方へ立ち上がっていて複数の通気孔（３２ａ）が穿孔された前面部（３２）と、前面部（３２）と対向して底面部（３１）の後端から上方へ立ち上がった後面部（３３）とで屋根裏側へ通ずる換気室（３４）を形成し、前面部（３２）の上端から通気孔（３２ａ）の前方に上部化粧板（２）の折り返し部（２４）に係合する係合部（３６）を張り出し、換気室（３４）に面した後面部（３３）には加熱発泡材（５）が装着される下部化粧板（３）とにより構成されていることを特徴とする鼻隠し化粧板。
【発明の詳細な説明】
【技術分野】
【０００１】
本発明は、屋根裏の空間を換気するための通気孔を備えた鼻隠し化粧板に関する。
【背景技術】
【０００２】
鼻隠しに取り付ける化粧板に通気孔を設けて屋根裏の空間の換気が行えるようにした軒先の構造として、例えば図６に示されるように、鼻隠し化粧板１００を鼻隠し１０１の前面を覆う化粧板１００ａと軒天井１０２の表面を覆う化粧板１００ｂとに分割し、鼻隠し１０１の下方で両化粧板１００ａ、１００ｂの端部同士を適宜な間隔の隙間１００ｃを確保して上下に重ね合わせ、前記隙間１００ｃと屋根裏１０３とを連通させた構成のものが知られている。図中、符号１０４は隙間１００ｃに沿って配した防鳥ネットである（例えば特許文献１参照）。
【０００３】
また、火災が発生したときに、軒先に設けた通気孔から熱気や火の粉が屋根裏に流入して延焼したり火勢が増すような事態とならないように、例えば図７に示されるように、鼻隠し１０１の後面部が面する軒天井１０２に形成された換気口１０２ａに、屋外に通ずる通気孔１０５ａを下部に備え、この通気孔１０５ａと換気口１０２ａとの間の通気路に面して加熱発泡材１０６を内部に設置した換気部材１０５を取り付け、火災が発生したときはその熱で加熱発泡材１０６が膨張し、換気部材１０５内部の通気路が遮断されて通気孔１０５ａからの外気の流入を防止するようにした構成のものが知られている（例えば特許文献２参照）。
【０００４】
【特許文献１】特開２００３−２１３８６４号公報
【特許文献２】特開平９−２０３１３４号公報
【発明の開示】
【発明が解決しようとする課題】
【０００５】
図６に示した構成のものは、化粧板１００ａ、１００ｂの端部間の隙間１００ｃを換気用の孔として利用しているので、化粧板１００ａ、１００ｂに通気孔を穿孔する加工を施す必要がないものの、両板の端部間の隙間１００ｃを大きくすると外観上の見栄えが悪くなり、また、隙間１００ｃは軒下に沿って水平に連続した帯状の空隙であるため、隙間１００ｃが大きいと昆虫類やコウモリ、野鳥などが屋根裏の空間に入り込み易くなる。そのため、隙間１００ｃは小さく（細幅に）せざるを得ず、家屋の規模によっては、屋根裏の空間の換気が不十分となることもあった。昆虫類や野鳥の進入を防ぐために防鳥ネット１０４の取り付けは不可欠であった。
また、同図に示されるように、下側の化粧板１００ｂの端部の上方に、上側の化粧板１００ａの端部が食い違いに重なっているので、化粧板１００ｂの表面を伝う雨水が隙間１００ｃから軒裏に入り込み易いという問題があった。
さらに、化粧板１００ａ、１００ｂは互いに連係する箇所がない別個の部材であるため、鼻隠し１０１側に化粧板１００ａを取り付ける位置と、軒天井１０２側に化粧板１００ｂを取り付ける位置とを別々に位置決めしなければならず、取り付けに手間を要するものであった。
また、図７に示した構成のものは、通気孔１０５ａが換気部材１０５の下部に形成されているので雨水が軒裏に入り込む虞れはないものの通気路が構造的に狭くなり、十分な通気路を確保しょうとすると、必然的に換気部材が嵩張って見栄えが悪くなるという問題があった。しかも、軒天井１０２に面して換気部材１０５を固定する作業は煩雑で手間を要するものであり、簡易な作業で取り付けることはできなかった。
【０００６】
本発明は従来技術の有するこのような問題点に鑑み、通気孔を備えた鼻隠し化粧板を、屋根裏空間の換気を十分に行えるように前記通気孔を大きく形成し、且つ通気孔からの雨水の浸入を防止するとともに、固定位置の位置決めが容易で簡易な作業で取り付けることができるように構成することを課題とする。
【課題を解決するための手段】
【０００７】
前記課題を解決するため本発明は、鼻隠しの前面部と下面部を覆って軒先に固定される鼻隠し化粧板において、鼻隠しの前面部に接合する被覆面部の下端に軒先後方への折り返し部を設け、被覆面部の裏側に鼻隠しの下面前端部に係合する突部を設けてなる上部化粧板と、鼻隠しの下面部を覆う底面部と、底面部の前端から上方へ立ち上がっていて複数の通気孔が穿孔された前面部と、前面部と対向して底面部の後端から上方へ立ち上がった後面部とで屋根裏側へ通ずる換気室を形成し、前面部の上端から通気孔の前方に上部化粧板の折り返し部に係合する係合部を張り出し、換気室に面した後面部には加熱発泡材が装着される下部化粧板とにより構成されていることを特徴とする。
【０００８】
本発明の鼻隠し化粧板は、先ず上部化粧板を鼻隠しの前面に固定し、次いで下部化粧板を鼻隠しの下方に固定して取り付けられる。すなわち、上部化粧板は、その裏側に設けた突部を鼻隠しの下面前端部に係合させて鼻隠しに当てがい、鼻隠しの前面部に接合した被覆面部の外側からビスや釘を打ち込んで留め付けることにより固定され、また、下部化粧板は、予め後面部に設けた凹部に加熱発泡材をリベットなどで固着しておき、鼻隠しに固定された上部化粧板の折り返し部に、前面部の前方に張り出した係合部を係合させ、その状態で後面部の端部を軒先下部に重ね合わせ、重合部分に下側からビスや釘を打ち込んで留め付けることにより固定される。
【０００９】
これによれば、上部化粧板の裏側に鼻隠しの下面前端部に係合する突部を設けてあるので、この突部を鼻隠し前端に係合させつつ被覆面部を鼻隠し前面部に当てがうことにより、上部化粧板を取り付ける際の位置決めを容易に行うことができる。また、下部化粧板も、その係合部を上部化粧板の折り返し部に係合させることで取り付け位置が位置決めされるので、両化粧板を簡易な作業手順で取り付けることが可能である。
軒先に取り付けられた鼻隠し化粧板は、下部化粧板に形成された換気室が屋根裏の空間と通じ、換気室に面した前面部の通気孔を介して屋根裏の空間を換気することが可能である。外気の取り入れ口である通気孔は、下部化粧板の前面部に形成されており、この前面部の上端から通気孔の前方に、上部化粧板の折り返し部に上方から係合する係合部を張り出してあるので、通気孔の前方で下方へ垂れた折り返し部と上部化粧板の係合部とが水切りの機能を奏して雨水が通気孔に入り難く、通気孔の開口寸法を十分に大きく確保することが可能である。
また、化粧板は上部と下部が分離した構造となっており、下部化粧板の換気室に面した後面部に加熱発泡材が固定されるので、加熱発泡材の位置決めが簡単で、確実に固定しておくことが可能である。なお、加熱発泡材を後面部に固定する手段は、リベット留めの他に、不燃性の接着剤や両面テープなどを用いてもよい。
【発明を実施するための最良の形態】
【００１０】
本発明の好適な一実施形態を図面を参照して説明する。
図１は本発明の一実施形態の鼻隠し化粧板を鼻隠しに取り付けた状態の軒先の断面図、図２は図１の鼻隠し化粧板の上部と下部を分離した状態の断面図、図３は下部化粧板の通気孔が形成された前面部を拡大して示した図、図４は図１の鼻隠し化粧板を取り付けて屋根の軒先を構成した状態の軒先の断面図、図５は本発明の鼻隠し化粧板の他の実施形態の断面図である。
【００１１】
本発明の鼻隠し化粧板１は、例えば表面を塩化ビニル樹脂で覆うなどの耐蝕加工が施された、或いは耐蝕性を有する材質のものからなる長尺の鋼板を板金加工により長手方向に沿って折り曲げて形成されており、図１に示されるように、垂木６の端部間に横架した鼻隠し材７の表面に鼻隠し８が固定された軒先に、鼻隠し８の前面部８１と下面部８２を覆って一体に取り付けられるように設けてある。鼻隠し８の下面部８２は軒先下部１０より若干上方に位置して設けられており、鼻隠し８の下面部８２と軒先下部１０に固定した化粧板１との隙間が屋根裏の空間部９に通じる通気路となっている。
【００１２】
より詳しくは、鼻隠し化粧板１は、鼻隠し８の前面部８１を覆う上部化粧板２と、下面部８２を覆う下部化粧板３により構成されている。
上部化粧板２は、図２に示されるように、鼻隠し８の前面部８１に接合する被覆面部２１の下端に、軒先前方へ折れた段部２２と段部２２の端部から前記被覆面部２１と平行に下方へ折れた下折れ部２３とを介して、下折れ部２３の下端から軒先後方へ鋭角に折れた折り返し部２４を設けるとともに、被覆面部２１の下部から段部２２に亘って接合する鉤形に屈曲した板材２５を被覆面部２１の裏側にリベット４で一体に固着して、段部２２よりも若干上方の位置で軒先後方へ突出した、鼻隠し８の下面前端部８３に係合する突部２６を一体に設けて形成してある。
被覆面部２１の上端は、被覆面部２１に対して垂直に軒先前方へ適宜な長さで折れ、且つ先端を斜め下方へ屈曲させてあり、その先端部２７に後述する水切り１５の先端が係合するように設けてある。
【００１３】
下部化粧板３は、図２に示されるように、鼻隠し８の下面部８２を覆う底面部３１と、底面部３１の前端から上方へ垂直に立ち上がった前面部３２と、底面部３１の後端から上方へ垂直に立ち上がった後面部３３とで換気室３４を形成し、この換気室３４が面する前面部３２内には複数の通気孔３２ａを穿孔するとともに、前面部３２の上端に、当該上端から適宜な幅で垂直に折れた前折れ部３５を介して前面部３２と平行に下方へ折れ曲がって通気孔３２ａの前方に張り出した係合部３６を設け、また、後面部３３は、その下部に底面部３１と平行に前面部３２側へ折り返した段部３３ａを設けるとともに換気室３４に面したその上部に凹部３３ｂを設け、この凹部３３ｂには帯状の加熱発泡材５が装着されてリベット４で一体に固着してあり、さらに端部３３ｃを軒先下部１０に接合し得るように斜め上方へ延設して形成してある。
前記通気孔３２ａは、図３に示されるように、前面部３２の上下端部近傍間に亘る縦長の貫通孔であり、前面部３２の長手方向（水平方向）に沿って所定の間隔を開けて多数列設してある。また、前面部３２の上端に連ねて設けた係合部３６は、その上下幅を上部化粧板２の下折れ部２３の上下幅よりも若干短く設けてあり、係合部３６を下折れ部２３と折り返し部２４の間に差し入れ、且つ係合部３６の表面を下折れ部２３の裏面に接合させて係合することができるように設けてある。換気室３４は、その前後面部３２、３３間の幅が段部３３ａの下側が幅広、上側が幅狭となっており、加熱発泡材５が固着された凹部３３ｂは前記幅狭な部分であって、上下の化粧板２、３を一体化させた状態で上部化粧板２の被覆面部２１と段部２２との境界部と対向する、後面部３３の上部に設けてある。
【００１４】
このように構成された本形態の鼻隠し化粧板１の取り付けは、図１に示されるように、先ず上部化粧板２を、その裏側に設けられた突部２６を鼻隠し８の下面前端部８３に係合させて鼻隠し８に当てがい、鼻隠し８の前面部８１に接合した被覆面部２１の外側からビス１１を打ち込んで固定し、次いで下部化粧板３を、その係合部３６を上部化粧板２の折り返し部２４に係合させ、その状態で後面部３３の端部３３ｃを軒先下部１０に重ね合わせ、重合部分に下側からビス１１を打ち込んで固定することにより行われる。この際、上部化粧板２はその突部２６を鼻隠し８の下面前端部８３に係合させることにより、また、下部化粧板３はその係合部３６を上部化粧板２の折り返し部２４に係合させることにより、それぞれ取り付け位置が位置決めされるので、両板を簡易な作業手順で取り付けることが可能である。
【００１５】
そして、図４に示されるように、鼻隠し化粧板１の被覆面部２１に軒樋吊り具１２を取り付けて軒樋１３を支持させ、上部化粧板２の先端部２７には野地板１４に固定される水切り１５の端部を係合させ、野地板１４の上面にはルーフティングを覆い被せて防水した上で屋根材１６を取り付け、また、下部化粧板３の後面部３３の段部３３ａに軒天井１７の端部を載せて、軒天井１７を軒下に取り付けることにより軒先の廻りの造作が完了する。なお、軒天井１７は、図４中に実線で示した水平軒天のほかに、破線で示すような軒先下部１０に沿って固定する勾配軒天としてもよい。
【００１６】
本発明の鼻隠し化粧板１によれば、下部化粧板３の換気室３４が屋根裏の空間と通じ、換気室３４に面した通気孔３２ａから外気を取り入れて、屋根裏の空間部９を十分に換気することが可能である。通気孔３２ａの前方には折り返し部２４と係合部３６とが一体に垂れ下がっており、これが水切りの機能をなすため、雨水が通気孔３２ａから入り込む虞れはない。また、火災が発生したときには、通気孔３２ａから流入した熱気や火の粉によって加熱発泡材５が体積膨張して前面部３２に密着し、換気室３４と屋根裏の空間部９との通気路を遮断するので、通気孔３２ａから外気が屋根裏の空間部９に流入することはなく、延焼を抑止することが可能できる。
【００１７】
なお、図示した鼻隠し化粧板１の形状は一例であり、家屋の軒先の構成や形状などに応じて適宜な形状に形成することが可能である。例えば図１に示した鼻隠し化粧板１は、上部化粧板２の被覆面部２１の下部に段部２２、上部に水切り１５が係合する先端部２７を設けた形態としたが、必ずしもこのような形態にしなくてもよく、図５に示されるように、前記段部２２と先端部２７を具備しない形態としてもよい。
【図面の簡単な説明】
【００１８】
【図１】本発明の一実施形態の鼻隠し化粧板を鼻隠しに取り付けた状態の軒先の断面図である。
【図２】図１の鼻隠し化粧板の上部と下部を分離した状態の断面図である。
【図３】下部化粧板の通気孔が形成された前面部を拡大して示した図である。
【図４】図１の鼻隠し化粧板を取り付けて屋根の軒先を構成した状態の軒先の断面図である。
【図５】本発明の鼻隠し化粧板の他の実施形態の断面図である。
【図６】従来の鼻隠し化粧板を取り付けた屋根の軒先の断面図である。
【図７】従来の換気部材を取り付けた屋根の軒先の断面図である。
【符号の説明】
【００１９】
１  鼻隠し化粧板、２  上部化粧板、２１  被覆面部、２２  段部、２３  下折れ部、２４  折り返し部、２６  突部、３  下部化粧板、３１  底部、３２  前面部、３２ａ  通気孔、３３  後面部、３３ｂ  凹部、３４  換気室、３６  係合部、４  リベット、５  加熱発泡材、８  鼻隠し、８１  鼻隠し前面部、８２  鼻隠し下面部、８３  鼻隠し前端部、９  屋根裏の空間部
【図１】
0004960159.tif 000002
【図２】
0004960159.tif 000003
【図３】
0004960159.tif 000004
【図４】
0004960159.tif 000005
【図５】
0004960159.tif 000006
【図６】
0004960159.tif 000007
【図７】
0004960159.tif 000008